(57)【要約】  【課題】  記録媒体を用いて商品履歴を管理すると共に、記録媒体を用いて多くの付属的な情報を提供すること。  【解決手段】  原料から小売り商品に至る全ての工程に対してラベルＩＤを発行し、発行したラベルＩＤとその直前の工程で発行したラベルＩＤとを関連づけて履歴をとることにより、原料から最終商品に至るまでの商品履歴を把握できるようにする。更に、消費者の手に渡る最終工程のラベルには、所定のサイトへの接続情報が電子透かしにより埋め込まれている。消費者が、所定機能を有する携帯端末でラベルを撮影すると、消費者は、携帯端末を所定のサイトに自動接続することができる。  【選択図】  図１
2006059317.tif 000002
【特許請求の範囲】
【請求項１】
原材料から最終商品に至るまでの各工程で生産される製品に識別情報を記録した記録媒体を付随させて商品履歴を管理する商品履歴管理システムで使用する商品履歴管理装置であって、
識別情報発行装置から、直前の工程で付随された記録媒体に記録されている識別情報を受信する識別情報受信手段と、
新たに発行した識別情報を前記識別情報発行装置に送信する識別情報送信手段と、
前記受信した識別情報と、前記送信した識別情報と、を関連づけて記憶する識別情報記憶手段と、
前記識別情報発行装置に対して、前記送信した識別情報と共に記録される所定サイトへの接続情報を送信する接続情報送信手段と、
を具備したことを特徴とする商品履歴管理装置。
【請求項２】
前記各工程の事業者から、前記所定サイトに掲載する掲載情報の登録を受け付ける掲載情報受付手段と、
前記受け付けた掲載情報を前記所定サイトに掲載する掲載手段と、
を具備したことを特徴とする請求項１に記載の商品履歴管理装置。
【請求項３】
前記掲載情報は、前記事業者が指定するサイトへの接続情報であることを特徴とする請求項２に記載の商品履歴管理装置。
【請求項４】
原材料から最終商品に至るまで各工程で生産される製品に識別情報を記録した記録媒体を付随させて商品履歴を管理する商品履歴管理システムで使用する識別情報発行装置であって、
前記識別情報発行装置の直前の工程で付随された記録媒体に記録されている識別情報を商品履歴管理装置に送信する識別情報送信手段と、
前記送信した識別情報に対して発行された識別情報を前記商品履歴管理装置から受信する識別情報受信手段と、
前記受信した識別情報と、所定サイトへの接続情報を取得して記録媒体に記録する記録手段と、
を具備したことを特徴とする識別情報発行装置。
【請求項５】
前記記録媒体は、印刷媒体であり、
前記記録手段は、電子透かし読み取り機能を備えた端末装置に読み取り可能な電子透かしとして、前記接続情報を可視情報に重ねて印字することを特徴とする請求項４に記載の識別情報発行装置。
【請求項６】
各工程に設置された識別情報発行装置と、前記識別情報発行装置とネットワーク接続した商品履歴管理装置と、から構成され、原材料から最終商品に至るまでの各工程で生産される製品に識別情報を記録した記録媒体を付随させて商品履歴を管理する商品履歴管理システムであって、
前記識別発行情報は、直前の工程で付随された記録媒体に記録されている識別情報を前記商品履歴管理装置に送信し、
前記商品履歴管理装置は、前記送信された識別情報を受信し、新たな識別情報を発行して、前記受信した識別情報と関連付けて記憶し、更に、前記発行した識別情報と、所定サイトへの接続情報を前記１の工程に設置された前記識別情報発行装置に送信し、
前記識別情報を送信した識別情報発行装置は、前記送信された識別情報と所定サイトへの接続情報を受信して記録媒体に記録することを特徴とする商品履歴管理システム。
【発明の詳細な説明】
【技術分野】
【０００１】
本発明は、商品履歴管理装置、識別情報発行装置、及び商品履歴管理システムに関し、例えば、製品の履歴を管理すると共に、製品の製造に関わる事業者の発信する情報を消費者に提供するものに関する。
【背景技術】
【０００２】
近年の食料や医薬品などの安全性への要求の高まりから、生産から消費者の手に渡るまでの商品の履歴を管理することができる商品履歴管理システムが求められている。
このような、商品管理システムを提案したものとして、本出願人による先願である次の未公開の文献がある。
【０００３】
【特許文献１】特願２００４−１２７５１６
【０００４】
この技術では、原料から小売り商品（小売業者・外食業者）に至る全ての工程に対してラベルＩＤを発行する。そして、発行したラベルＩＤとその直前の工程で発行したラベルＩＤとを関連づけて履歴をとることにより、原料から最終商品に至るまでの商品履歴（製造・加工履歴や流通履歴など）を把握できるようにする。
【０００５】
ラベルＩＤの発行とラベルＩＤの履歴の管理はラベル管理サーバが行い、ラベルの印刷と各工程での製品に関する詳細情報の管理は各工程に設置したラベル発行装置が行う。
ラベル発行装置に蓄積した詳細情報を、ラベル発行サーバで関連づけたラベルＩＤを用いて連携させることにより、生産から消費者の手に渡るまでの商品履歴を管理することができる。
また、製品の詳細情報を各ラベル発行装置に分散することができるため、ラベル管理サーバの負荷を低減することができる。
【発明の開示】
【発明が解決しようとする課題】
【０００６】
生産に携わる各事業者は、例えば、自社の紹介や広告など、より多くの情報をラベルに盛り込みたいという要望がある。
また、事業者の所在地域の観光協会が地域興しの一環として観光名所を紹介したいなどの要望もある。
これに対し、ラベルの印刷面積は大きさが限られており、また、ラベルに記載する必要事項が多いため、消費者には限られた情報しか提供することができないという問題があった。
【０００７】
そこで、本発明の目的は、記録媒体を用いて商品履歴を管理すると共に、記録媒体を用いて多くの付属的な情報を提供することである。
【課題を解決するための手段】
【０００８】
本発明は、前記目的を達成するために、原材料から最終商品に至るまでの各工程で生産される製品に識別情報を記録した記録媒体を付随させて商品履歴を管理する商品履歴管理システムで使用する商品履歴管理装置であって、識別情報発行装置から、直前の工程で付随された記録媒体に記録されている識別情報を受信する識別情報受信手段と、新たに発行した識別情報を前記識別情報発行装置に送信する識別情報送信手段と、前記受信した識別情報と、前記送信した識別情報と、を関連づけて記憶する識別情報記憶手段と、前記識別情報発行装置に対して、前記送信した識別情報と共に記録される所定サイトへの接続情報を送信する接続情報送信手段と、を具備したことを特徴とする商品履歴管理装置を提供する（第１の構成）。
第１の構成において、前記各工程の事業者から、前記所定サイトに掲載する掲載情報の登録を受け付ける掲載情報受付手段と、前記受け付けた掲載情報を前記所定サイトに掲載する掲載手段と、を具備するように構成することもできる（第２の構成）。
第２の構成において、前記掲載情報は、前記事業者が指定するサイトへの接続情報であるように構成することもできる（第３の構成）。
また、本発明は、原材料から最終商品に至るまで各工程で生産される製品に識別情報を記録した記録媒体を付随させて商品履歴を管理する商品履歴管理システムで使用する識別情報発行装置であって、前記識別情報発行装置の直前の工程で付随された記録媒体に記録されている識別情報を商品履歴管理装置に送信する識別情報送信手段と、前記送信した識別情報に対して発行された識別情報を前記商品履歴管理装置から受信する識別情報受信手段と、前記受信した識別情報と、所定サイトへの接続情報を取得して記録媒体に記録する記録手段と、を具備したことを特徴とする識別情報発行装置を提供する（第４の構成）。
第４の構成において、前記記録媒体は、印刷媒体であり、前記記録手段は、電子透かし読み取り機能を備えた端末装置に読み取り可能な電子透かしとして、前記接続情報を可視情報に重ねて印字するように構成することもできる（第５の構成）。
また、本発明は、各工程に設置された識別情報発行装置と、前記識別情報発行装置とネットワーク接続した商品履歴管理装置と、から構成され、原材料から最終商品に至るまでの各工程で生産される製品に識別情報を記録した記録媒体を付随させて商品履歴を管理する商品履歴管理システムであって、前記識別発行情報は、直前の工程で付随された記録媒体に記録されている識別情報を前記商品履歴管理装置に送信し、前記商品履歴管理装置は、前記送信された識別情報を受信し、新たな識別情報を発行して、前記受信した識別情報と関連付けて記憶し、更に、前記発行した識別情報と、所定サイトへの接続情報を前記１の工程に設置された前記識別情報発行装置に送信し、前記識別情報を送信した識別情報発行装置は、前記送信された識別情報と所定サイトへの接続情報を受信して記録媒体に記録することを特徴とする商品履歴管理システムを提供する（第６の構成）。
【発明の効果】
【０００９】
本発明によると、記録媒体に記録した識別情報を用いて商品履歴を管理することができると共に、記録媒体に記録容量に制限されずに付属的な情報を付随させることができる。
【発明を実施するための最良の形態】
【００１０】
（１）実施の形態の概要
本実施の形態のラベル管理システムは、原料から小売り商品（小売業者・外食業者）に至る全ての工程に対してラベルＩＤを発行し、発行したラベルＩＤとその直前の工程で発行したラベルＩＤとを関連づけて履歴をとることにより、原料から最終商品に至るまでの商品履歴を把握できるようにする。
【００１１】
そして更に、消費者の手に渡る最終工程のラベルには、所定のサイト（本実施の形態では、ラベル管理サーバが運営する携帯サイト）への接続情報が電子透かしにより埋め込まれている。
【００１２】
消費者が、所定機能を有する携帯端末（本実施の形態では、内蔵カメラによる撮影機能と、撮影した画像データから電子透かしで記録された接続情報を抽出する機能と、抽出した接続情報の接続先に自動接続する機能と、を備えた携帯電話）でラベルを撮影すると、消費者は、携帯端末を所定のサイトに自動接続することができる。
【００１３】
このように、可視情報（通常の表示内容）に重畳して接続情報を電子透かしとしてラベルに印刷することにより、接続情報の印刷スペースを省略することができると共に、更に所定の機能を有する携帯端末を用いて接続情報による接続先に自動接続することができる。
【００１４】
携帯サイトでは、図８に示したように、各事業者のウェブサイトへのリンクが設定されており、消費者は所望のリンクを選択することによりリンク先のウェブサイトに携帯端末を接続することができる。
接続先のウェブサイトでは、図９に示したように、事業者が自社の紹介、製品情報や販促情報の提供、及び広告などが行われる。
【００１５】
このウェブサイトが提供する情報により、消費者は、自己の消費する商品に対する理解や安心を得ると共に、有益な情報を得ることができる。
また、事業者は、ラベルの印刷面積に制約されずに各種の情報提供を行うことができる。
【００１６】
そして、通常の印刷物は、提供できる情報が印刷時のものに固定されてしまうが、ウェブサイトの掲載内容は随時更新することができるため、印刷した情報とウェブサイトを連携させることにより、ラベルを介して消費者に最新の情報をリアルタイムで提供することができる。
【００１７】
（２）実施の形態の詳細
図１は、本実施の形態のラベル管理システム１のネットワーク構成を概念的に示した図である。
ラベル管理システム１は、食料品・医薬品の製造など、原料から最終製品に至るまでの工程に対して各製品にラベルＩＤを付与し、これを追跡するシステムであり、特に複数の事業者に渡って加工製造される工程に適用すると効果的である。
ここでは、一例として屠畜から小売りに至るまでの牛肉の生産に用いる場合を例に採り説明する。
【００１８】
ラベル管理システム１では、ラベル管理サーバ２、端末４ａ、４ｂ、４ｃ…、ラベル発行装置５ａ、５ｂ、５ｃ、…、５ｅ、サーバ１１ａ、１１ｂ、…がインターネット３で接続可能に配設されている。
【００１９】
なお、以下では、特に区別しない限り、端末４ａ、４ｂ、４ｃ…、ラベル発行装置５ａ、５ｂ、５ｃ、…、５ｅ、及びサーバ１１ａ、１１ｂ、…を単に端末４、ラベル発行装置５、サーバ１１などと記す。
【００２０】
ラベル管理サーバ２は、原材料、加工品、小売り商品などのラベル貼付対象に印刷（印字）するラベルＩＤを管理する履歴管理機能と、検索サイト１３で消費者からのアクセスを受け付け、各加工における製品の詳細情報を消費者に提供する詳細情報提供機能と、検索サイト１３や携帯サイト１４により各工程の事業者（以下、単に事業者と記す）が発信する事業者情報を消費者に提供する事業者情報提供機能を有している。
以下に、これらの各機能について説明する。
【００２１】
［履歴管理機能］
ラベル管理サーバ２は、ラベル発行装置５から直前工程で製品に貼付されたラベルに印刷されているラベルＩＤを受信し、このラベル発行装置５に対して新たに発行したラベルＩＤを送信する。
そして、ラベル管理サーバ２は、受信したラベルＩＤと送信したラベルＩＤを関連づけて記憶する。
このようにして記憶したラベルＩＤの関連づけを辿ることにより、ラベル管理サーバ２は、製品の流通過程を追跡することができる。
【００２２】
ここで、ラベル管理サーバ２は商品履歴管理装置に該当し、ラベル発行装置５は識別情報発行装置に該当する。
そして、以上に述べたように、ラベル管理サーバ２は、ラベル発行装置５から直前の工程で付随されたラベル（記録媒体に該当）に記録されているラベルＩＤ（識別情報に該当）を受信する識別情報受信手段と、受信したラベルＩＤに対して新たにラベルＩＤを発行し、これを受信したラベルＩＤと関連付けて後述するラベルＩＤ管理データベース５５に記憶する識別情報記憶手段を備えている。
【００２３】
［詳細情報提供機能］
ラベル管理サーバ２は、まず、検索サイト１３にて消費者から商品に貼付されていたラベルＩＤにより商品履歴の紹介を受けると、このラベルＩＤに関連づけられている一連のラベルＩＤをラベルＩＤ管理データベース５５で検索して消費者に提示する。
【００２４】
次に、消費者が提示されたラベルＩＤに対応する詳細情報を要求すると、これを記憶しているラベル発行装置５に詳細情報を要求し、その結果ラベル発行装置５から取得した詳細情報を消費者に提示する。
後述するようにラベル発行装置５では、加工の際の詳細情報とラベルＩＤとが対応づけられて記憶されており、ラベル管理サーバ２は、ラベルＩＤを指定することにより、ラベル発行装置５から詳細情報を取得することができる。
【００２５】
［事業者情報提供機能］
ラベル管理サーバ２は、ラベル発行装置５ｅには先に発行したラベルＩＤと共に携帯サイト１４への接続情報をラベル発行装置５に送信し、これらの情報がラベル発行装置５ｅで印刷される。
このように、ラベル管理サーバ２は、先に発行したラベルＩＤと携帯サイト１４（所定のサイトに該当）への接続情報をラベル発行装置５に送信する接続情報送信手段を備えている。
【００２６】
ラベル発行装置５ｅで発行されるラベルには、携帯サイト１４への接続情報が電子透かしにより印刷されており、消費者は後述のカメラ付き携帯電話でこのラベルを撮影すると自動的に携帯サイト１４にアクセスすることができる。
接続情報としては、例えばＵＲＬ（Ｕｎｉｆｏｒｍ  Ｒｅｓｏｕｒｃｅ  Ｌｏｃａｔｏｒｓ）を用いることができる。
【００２７】
携帯サイト１４では、各事業者が運営するウェブサイト（以下、事業者サイトと記す）へのリンクが設定されており、消費者はこれらリンクを選択することにより、各事業者サイトに接続することができる。
事業者サイトは、各事業者により独自に運営されており、消費者や事業者にとって有益な情報が掲載されている。
【００２８】
次に、ラベル発行装置５について説明する。
ラベル発行装置５は、屠畜場での牛肉の生産（ラベル発行装置５ａ）から、加工（ラベル発行装置５ｂ、５ｃ、…）、小売り（ラベル発行装置５ｅ）までの各工程に設置されており、ラベル印刷機能と詳細情報管理機能を有している。
また、ラベル発行装置５は、インターネット３を介してラベル管理サーバ２と通信することができ、ネットワーク対応型印刷装置を構成している。
【００２９】
［ラベル印刷機能］
ラベル発行装置５は、直前工程で発行され、製品に貼付されていたラベルのラベルＩＤをラベル管理サーバ２に送信する。そして、ラベル管理サーバ２からこのラベルＩＤに対して新たに発行されたラベルＩＤを受信してこれをラベルに印刷する。
【００３０】
直前工程のラベルＩＤは、作業者が直前工程で製品に貼付されたラベルに印刷されているラベルＩＤをラベル発行装置５に入力することによりラベル管理サーバ２へ送信される。
そして、今回印刷したラベルは、作業者により加工後の製品に貼付される。
【００３１】
また、最終工程に設置されたラベル発行装置５ｅでは、携帯サイト１４への接続情報が電子透かしにてラベルに印刷される。
この接続情報は、ラベル発行装置５がラベル管理サーバ２から受信したものであり、ラベル発行ごとにラベル管理サーバ２から受信してもよいし、所定期間ごとにバッチ処理などによりラベル管理サーバ２から受信して記憶しておき、これを繰り返し使用してもよい。
【００３２】
より詳細には、ラベル発行装置５ｅは、前段階の工程のラベルのラベルＩＤをラベル管理サーバ２に送信し（識別情報送信手段に該当する）、これに対してラベル管理サーバ２が送信してきたラベルＩＤを受信する（識別情報受信手段）。
そして、ラベル発行装置５ｅは、ラベル管理サーバ２が送信してきた携帯サイト１４への接続情報を取得し（ラベルＩＤと共に受信してもよいし、先に受信したものを記憶しておいてこれを取得してもよい）、これをラベル管理サーバ２から受信したラベルＩＤと共にラベルＩＤに記録する記録手段を備えている。
【００３３】
このように、ラベル管理サーバ２は、電子透かしで印刷する電子透かし情報をラベル発行装置５ｅに提供する電子透かし提供機能を備えると共に、ラベル発行装置５ｅは、この電子透かし情報を用いて電子透かしを印刷する電子透かし印刷機能を備えている。
電子透かしの方式としては、濃度パターン法、ランダムピットプレーン法など公知のものが各種実用化されており、これらの中から本願の目的（デジタル電話で撮影し、ウェブサイトに自動接続する）に適したものを用いればよい。
【００３４】
より詳細には、電子透かしの方法としては、２値画像に対するものや、濃淡画像に対するものが各種提案されている。また、本実施の形態では、商品ラベルに電子透かしを印刷するため、２値画像に対するものが適している。
更に、２値画像に対する電子透かしの方式としては、濃度パターン法、組織的ディザ法、及び差拡散法などによるものが知られている。
【００３５】
［詳細情報管理機能］
詳細情報の管理に関しては、作業者が製品を加工する際に、製品に関する詳細な情報（例えば、牛肉の重量、検疫検査結果、生産者の住所・氏名、屠畜年月日、ＢＳＥ検査結果など）をラベル発行装置５に入力することができ、ラベル発行装置５は、この製品に貼付するラベルＩＤと詳細情報を関連づけて記憶装置に記憶する。
【００３６】
このようにして、ラベル管理システム１は、詳細情報を各工程に設置したラベル発行装置５に分散して保持することができるためラベル管理サーバ２の負荷を軽減することができる。
【００３７】
ラベル発行装置５は、ラベル管理サーバ２から詳細情報の送信要求があった場合は、要求されたラベルＩＤの詳細情報を記憶装置から読み出してラベル管理サーバ２に送信する。
また、作業者が前段の工程での製品に関する情報を知りたい場合は、直前工程で貼付されたラベルＩＤをラベル管理サーバ２に照会することにより、上流工程のラベル発行装置５から詳細情報を得ることができる。
【００３８】
これは、ラベル管理サーバ２が、受信したラベルＩＤを用いて当該ラベルの連続関係をラベルＩＤ管理データベース５５で検索し、検索されたラベルＩＤの詳細情報をこれらの詳細情報を記憶するラベル発行装置５から取得して提示することにより行われる。
【００３９】
次に、サーバ１１について説明する。
サーバ１１は、事業者（生産者、加工業者Ｂ、…）が、消費者に対して発信する情報を掲載した事業者サイトを運営するウェブサーバである。
このウェブサイトは、消費者から端末４や携帯電話などの端末装置を用いたアクセスを受け付け、製品に関する情報、事業紹介、販促情報、広告、地域の特産・名所など、事業者が望む情報を消費者に提供する。
【００４０】
なお、携帯電話は、情報処理能力や表示能力が端末４よりも低いため、サーバ１１は、端末４のようにデータと携帯電話用のデータを用意するなどして両者に対応できるようにしてある。
【００４１】
次に、端末４について説明する。
端末４は、例えば、パーソナルコンピュータなどのインターネット３に接続可能な端末装置であって、消費者がラベル管理サーバ２やサーバ１１にアクセスするのに用いることができる。
消費者は端末４からラベル管理サーバ２の検索サイト１２にアクセスして、製品のラベルに印刷されているラベルＩＤを入力することにより、当該製品の商品履歴を検索することができる。
また、サーバ１１にアクセスして事業者が提供するウェブサイトにアクセスすることもできる。
【００４２】
また、図示しないが、ラベル管理システム１は、内蔵カメラによる撮影機能と、画像処理により撮影した画像から電子透かしで埋め込まれている接続情報（ＵＲＬなど）を抽出する機能と、抽出した接続情報で特定されるウェブサイトに自動接続する機能と、を備えている携帯電話を含むことができる。
【００４３】
消費者は、この携帯電話を用いてこのラベルを撮影すると、携帯電話は、ラベルから電子透かしによって埋め込まれている接続情報を取得し、自動的に携帯サイト１４に携帯電話を接続することができる。
なお、本実施の形態では、携帯端末の一例として携帯電話を用いるが、このほかに、ＰＤＡ（Ｐｅｒｓｏｎａｌ  Ｄｉｇｉｔａｌ  Ａｓｓｉｓｔａｎｔ）や携帯ゲーム機など、各種の携帯端末を用いることができる。
【００４４】
また、ラベル管理システム１で、インターネット接続機能は有するが電子透かしの抽出機能を備えていない携帯電話に対応する場合は、ラベルに接続情報を可視情報として印刷しておき、これを携帯電話にマニュアルで入力するか、あるいは、２次元バーコードなど、他の形式で接続情報をラベルに印刷して、この形式に対応した携帯電話を用いるなどすることも可能である。
【００４５】
なお、本実施の形態では、ラベル管理システム１を運営するネットワークとしてインターネット３を用いるが、これに限定するものではなく、例えば、ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）など、他の形態のネットワークを用いてシステムを構築してもよい。
【００４６】
ここで、ラベルＩＤは識別情報を構成し、ラベルは識別情報を記録する記録媒体を構成している。
そして、ラベル管理システム１は、原材料から最終商品に至るまで各工程で生産される製品に識別情報を記録した記録媒体を付随させて商品履歴を管理する商品履歴管理システムを構成している。
【００４７】
また、ラベル管理サーバ２は、識別情報発行装置から直前の工程で付随（本実施の形態では貼付）された記録媒体に記録されている識別情報発行装置から、直前の工程で付随された記録媒体に記録されている識別情報を受信する識別情報受信手段と、新たに発行した識別情報をこの識別情報発行装置に送信する識別情報送信手段と、この受信した識別情報と、この送信した識別情報と、を関連づけて記憶する識別情報記憶手段（ラベルＩＤ管理データベース５５）と、識別情報発行装置に対して、前記送信した識別情報と共に記録される所定サイトへの接続情報を送信する接続情報送信手段とを備えた商品履歴管理装置を構成している。
【００４８】
また、ラベル発行装置５は、作業者の入力により、当該識別情報発行装置の直前の工程で付随された記録媒体に記録されている識別情報を商品履歴管理装置に送信する識別情報送信手段と、この送信した識別情報に対して発行された識別情報を前記商品履歴管理装置から受信する識別情報受信手段と、この受信した識別情報と、所定サイトへの接続情報を取得して記録媒体に記録する記録手段と、を備えた識別情報発行装置を構成している。
【００４９】
図２は、ラベル管理サーバ２とラベル発行装置５が協働してラベルＩＤを連携させる仕組みについて説明するための概念図である。
ラベル管理サーバ２は、発行したラベルＩＤを記憶して管理するラベルＩＤ管理データベース５５を備えている。ラベルＩＤ管理データベース５５は、前段階の工程で発行されたラベルＩＤと今回発行したラベルＩＤを関連づけて記憶するようになっている。
図では前段階に発行したラベルＩＤを「前回」と記し、今回発行したラベルＩＤを「今回」と記して両者を対応づけている。
【００５０】
ラベル管理サーバ２は、ラベル発行装置５から送信されてきたラベルＩＤをラベルＩＤ管理データベース５５の「前回」の領域に記憶し、ラベル発行装置に送信したラベルＩＤを「今回」の領域に記憶する。
【００５１】
このように構成されたラベル管理サーバ２は、一連の加工の始点となる工程１に対してＡなるラベルＩＤ（以下、ラベルＩＤ−Ａと記す）を発行し、これをラベル発行装置５ａに送信する。そして、ラベルＩＤ−ＡをラベルＩＤ管理データベース５５に記憶する。
【００５２】
ラベル発行装置５ａは、ラベル管理サーバからラベルＩＤ−Ａを受信し、これをラベルに印刷する。印刷されたラベルは原材料１０１に貼付される。
このとき、ラベル発行装置５ａには、原材料に関する詳細情報（例えば、屠畜年月日、ＢＳＥ検査結果など）を入力することができ、ラベル発行装置５ａは、ラベルＩＤと詳細情報を関連づけて記憶することができる。
【００５３】
次に、原材料１０１が、工程２に出荷され、これを用いて加工品１０２と加工品１０３が生産されたとする。
工程２では、まず、ラベルに印刷されているラベルＩＤ−Ａをラベル発行装置５ｂに入力し、ラベル管理サーバに送信する。
【００５４】
ラベル管理サーバは、これを受信してラベルＩＤ管理データベース５５に記憶し、加工品１０２、１０３に対してそれぞれラベルＩＤ−Ｂ、ラベルＩＤ−Ｃを発行する。そして、発行したラベルＩＤをラベル発行装置５ｂに送信すると共に、ラベルＩＤ−Ｂ、ラベル−Ｃを先に受信したラベルＩＤ−Ａと関連づけてラベルＩＤ管理データベース５５に記憶する。
【００５５】
ラベル発行装置５ｂは、ラベル管理サーバから送信されてきたラベルＩＤ−Ｂ、ラベルＩＤ−Ｃをラベルに印刷する。そして、印刷されたラベルはそれぞれ加工品１０２、１０３に貼付されて次工程に送られる。
また、ラベル発行装置５ｂは、加工品１０２、１０３に関する詳細情報をそれぞれラベルＩＤ−Ｂ、ラベルＩＤ−Ｃと関連づけて記憶する。
【００５６】
次に、加工品１０２が工程３に送られ商品１０４、１０５が生産されたとする。
工程３では、加工品１０２のラベルに印刷されていたラベルＩＤ−Ｂをラベル発行装置５ｃに入力し、ラベル管理サーバに送信する。
【００５７】
ラベル管理サーバは、ラベルＩＤ−ＢをラベルＩＤ管理データベース５５に記憶すると共に、今回の工程で生産された商品１０４、１０５に対してラベルＩＤ−Ｄ、ラベルＩＤ−Ｅを発行する。そして、ラベル管理サーバは、ラベルＩＤ−Ｄ、ラベルＩＤ−Ｅをラベル発行装置５ｃに送信すると共に、ラベルＩＤ管理データベース５５にラベルＩＤ−Ｂと関連づけて記憶する。
【００５８】
ラベル発行装置５ｃは、ラベル管理サーバから送信されてきたラベルＩＤ−Ｄ、ラベルＩＤ−Ｅをラベルに印刷する。印刷されたラベルは、それぞれ商品１０４、１０５に貼付され、商品１０４、１０５は、消費者に小売りされる。
また、ラベル発行装置５ｃは、商品１０４、１０５に対して入力された詳細情報をそれぞれラベルＩＤ−Ｄ、ラベルＩＤ−Ｅに関連づけて記憶する。
【００５９】
一方、工程２で生産された加工品１０３は工程４に送られ、加工品１０３を用いて商品１０６、１０７が生産されたとする。
工程３と同様にして、ラベル管理サーバは、加工品１０３のラベルのラベルＩＤ−Ｃに関連づけてラベルＩＤ−Ｆ、ラベルＩＤ−Ｇを記憶し、ラベル発行装置５ｄは、ラベルにラベルＩＤ−Ｆ、ラベルＩＤ−Ｇを印刷する。
そして、これらのラベルが貼付された商品１０６、１０７が消費者に小売りされる。
【００６０】
以上の手順により、ラベルＩＤ管理データベース５５には、各ラベルＩＤの連携関係を表す連係情報１５が形成され、原材料１０１から商品１０４〜１０７に至るまでの全てのラベルＩＤの連続関係が記録される。
【００６１】
また、各工程での詳細情報は、ラベルＩＤに関連づけてラベル発行装置５ａ〜ｄに記憶されており、ラベルＩＤを用いて当該ラベルＩＤに関連づけられている詳細情報をラベル発行装置５から取得することができる。
【００６２】
これらラベルＩＤの履歴と各ラベルＩＤに対応する詳細情報は、検索サイト１３（図１）によりインターネット上で消費者に公開されており、消費者は購入した商品に貼付されているラベルに印刷されているラベルＩＤから、その商品が原材料から最終製品に至るまでの各工程での商品履歴を知ることができる。
【００６３】
例えば、商品１０７を購入した消費者は、ラベルＩＤをラベルＩＤ管理データベース５５で検索することにより、Ａ→Ｃ→Ｇの工程で生産されたものであることを知ることができる。そして、更に、ラベル発行装置５ｂでラベルＩＤ−Ｃを照会することにより加工品１０３の詳細情報を知ることができる。
【００６４】
なお、以上の例では、例えば、工程３で商品１０４、商品１０５に対して個別にラベルＩＤを発行したが、同じ工程で同じ条件で生産された製品には、一律に同じラベルＩＤを付与するように構成することもできる。
【００６５】
図３は、ラベル発行装置５が備えた詳細情報データベースの論理的な構成の一例を示した図である。
詳細情報データベースは、図３に示したように、ラベル管理サーバ２が発行したラベルＩＤと作業者が入力した詳細情報を対応づけて記憶している。
【００６６】
このため、ラベル発行装置５は、ラベル管理サーバ２からラベルＩＤを用いて詳細情報の要求を受けると、詳細情報データベースでこのラベルＩＤを検索し、このラベルＩＤに対応づけられている詳細情報を読み出してラベル管理サーバ２に送信することができる。
【００６７】
図４（ａ）は、ラベル発行装置５ｅ（図１）で発行され、小売り商品に貼付されたラベルの一例を示した図である。
ラベル３５は、商品の名称や原材料、内容量、賞味期限、保存方法といった、通常のラベルに表示されている情報のほか、ラベルＩＤ３６、検索サイト１３への接続情報３７、及び領域３８に電子透かしにて印刷された携帯サイト１４への接続情報３９などがラベル発行装置５ｅにより印刷されている。
【００６８】
電子透かしは、モノ色印刷、グレー＋カラー色などを利用して、ラベル３５の指定領域に印刷されている。
このように、可視情報に不可視情報（電子透かし）を重畳して印刷することにより、限られた印刷面積により多くの情報を記載することができる。
【００６９】
なお、本実施の形態では電子透かしを用いて接続情報を印刷したが、変形例として、図４（ｂ）のように可視情報を用いて接続情報印刷することも可能である。
ラベル４２は、ラベルＩＤ３６ａ、検索サイト１３への接続情報３７ａのほか、携帯サイト１４への接続情報４３と２次元バーコード４４が印刷されている。
【００７０】
消費者の携帯電話が電子透かしに対応していない場合は、接続情報４３を携帯電話のキーを用いて入力することにより携帯サイト１４に接続することができる。
また、消費者の携帯電話が、カメラ機能を備え、更に、撮影した画像から２次元バーコードを抽出して解析する機能、及び２次元バーコードで記載された接続情報を用いて自動的にウェブサイトに接続する機能を備えている場合、消費者は、携帯電話で２次元バーコード４４を撮影すると自動的に携帯サイト１４に携帯電話を接続することができる。
【００７１】
更に、ラベル４２に接続情報３９を電子透かしにて印刷しておくと、電子透かしに対応した携帯電話、２次元バーコードに対応した携帯電話、及び何れにも対応しない携帯電話の何れにも対応することができる。
【００７２】
図５は、検索サイト１３が提供する検索画面の一例を示した図である。
消費者が検索サイト１３の接続情報を端末４のブラウザに入力し、検索サイト１３にアクセスすると、端末４の表示装置に検索画面２０が表示される。
【００７３】
検索画面は、ラベルＩＤ入力欄２１、検索スタートボタン２３、リンク選択欄２２などから構成されている。
ラベルＩＤ入力欄２１は、商品に貼付されていたラベルに印刷されているラベルＩＤを入力する欄である。
消費者は、ラベルに印刷されているラベルＩＤを確認し、キーボードなどからラベルＩＤ入力欄２１にラベルＩＤを入力する。
【００７４】
検索スタートボタン２３は、商品履歴の検索を開始するためのボタンである。消費者がマウス操作により検索スタートボタン２３をクリックすると、ラベルＩＤ入力欄２１に入力されたラベルＩＤがラベル管理サーバ２に送信され、ラベルＩＤの連係情報１５の検索が開始される。
【００７５】
リンク選択欄２２は、事業者サイトへ接続するためのリンクを表示する。
消費者がリンク選択欄２２で所望の事業者を選択すると、当該事業者の接続情報がラベル管理サーバ２から送信されてくる。そして、端末４は、この接続情報を用いて選択された事業者サイトに接続する。
【００７６】
図６は、検索サイト１３が提供する検索結果画面の一例を示した図である。
検索結果画面２６は、消費者がラベルＩＤ入力欄２１（図５）に入力して検索スタートボタン２３を選択すると端末４で表示される。
これは、ラベル管理サーバ２が端末４から送信されてきたラベルＩＤを用いてラベルＩＤ管理データベース５５（図２）を検索し、その結果得られた連係情報１５を用いて生成したものである。
【００７７】
検索結果画面２６には、検索の結果ヒットしたラベルＩＤ（入力したラベルＩＤと同じもの）と、このラベルＩＤと連続関係を有する一連のラベルＩＤが関連するラベルＩＤとして表示される。
表示されたラベルＩＤをクリックすると、これらラベルＩＤに関連づけられた詳細情報が表示される。
【００７８】
図７は、検索サイト１３が提供する詳細情報画面の一例を示した図である。
詳細情報画面３０は、消費者が検索結果画面２６でラベルＩＤを選択すると端末４で表示される。
これは、ラベル管理サーバ２が選択されたラベルＩＤに対応づけられた詳細情報をラベル発行装置５から取得し、これを用いて生成したものである。
消費者は、詳細情報画面３０の表示内容から、自分が購入した商品の詳細情報を確認することができる。
【００７９】
図８は、本実施の形態で使用する携帯電話の外観を示した図であり、携帯サイト１４にアクセスしたところを示している。
携帯電話５０は、カメラ５７、表示部５２、操作キー５８、入力キー５４などを備えている。
【００８０】
また、図示しないが、携帯電話５０の内部には、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などから構成される情報処理部と、例えば、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｏｍ）で構成され、プログラムやデータを記憶する読み書き可能な記憶媒体を内蔵している。
【００８１】
携帯電話５０のＣＰＵは、ＲＯＭやその他の記憶媒体に記憶されたプログラムに従って各種の情報処理を行う。
ＲＡＭは、例えば、ＣＰＵがラベルの画像データから電子透かしを抽出したり、抽出した電子透かしを用いて携帯サイト１４へ接続したりする際のワーキングメモリを提供する。
【００８２】
記憶媒体には、画像処理により電子透かしを抽出する機能、抽出した電子透かしから接続情報を取得する機能、抽出した接続情報で指定されたウェブサイト（この場合は、携帯サイト１４）に自動接続する機能などをＣＰＵに発揮させる自動接続プログラムや、インターネット３上のウェブサイトを利用するためのブラウザプログラムなどが記憶されている。
【００８３】
携帯電話５０のＣＰＵは、消費者が操作キー５８、入力キー５４から入力した情報や、カメラ５７から入力された情報を、記憶媒体に記憶されたプログラムに従って情報処理し、その結果、インターネット３を介してサーバと通信したり、情報処理の結果を表示部５２に表示したりする。
【００８４】
カメラ５７は、レンズなどからなる光学系と、光学系により投影された被写体の画像をデジタルデータに変換するＣＣＤ（Ｃｈａｒｇｅ  ｃｏｕｐｌｅｄ  Ｄｅｖｉｃｅ）を備えており、消費者は、カメラ５７でラベルを撮影し、ラベルに印刷された内容をデジタルデータに変換することができる。
【００８５】
表示部５２は、例えば液晶ディスプレイなどにより構成されており、電話番号など、通話に関する情報を表示するほか、インターネット３を介してウェブサイトから送信されてきた各種の画面をブラウザに表示することができる。
【００８６】
操作キー５８は、例えば、表示部５２に表示されたアイコンを選択したり、あるいはリンクを選択したりなど、表示部５２に表示された画面で消費者が各種の画面操作を行うためのキーである。
入力キー５４は、数字、文字、記号などを携帯電話５０に入力するためのキーである。
【００８７】
携帯電話５０は、デジタルデータ化されたラベルの画像から電子透かしで記録された携帯サイト１４への接続情報を抽出し、これを用いて携帯サイト１４に自動接続する機能を有している。
この機能により携帯サイト１４に接続すると、図８に示したような携帯サイト１４が提供するリンク先選択画面が表示される。
【００８８】
消費者がリンク先選択画面で所望の事業者を選択すると、当該事業者の接続情報がラベル管理サーバ２から送信されてくる。そして、携帯電話５０は、この接続情報を用いて選択された事業者のウェブサイトに接続する。
【００８９】
図９は、携帯電話５０で事業者サイトに接続したところを示している。
図９に示した例では、牛肉の生産者である「山田牧場」のウェブサイトが選択された場合を示している。
この画面は、「ごあいさつ」、「牧場案内」、「地域の名所」など、各種の選択項目を表示する項目選択欄５６を備えており、消費者は、興味のある項目を選択することにより、より詳細な情報を得ることができる。
【００９０】
図１０は、携帯電話から事業サイトに接続する手順を説明するためのフローチャートである。
まず、携帯電話は、消費者が商品に貼付されていたラベルを撮影することにより、ラベルの画像データを取得する（ステップ５）。
【００９１】
次に、携帯電話は、ラベルの画像データから電子透かしで記述された情報を抽出する。そして、携帯電話は抽出された情報がウェブサイトへの接続情報であるか判断し、ウェブサイトへの接続情報であった場合は、当該接続情報で指定されている接続先に接続する。
今の場合、ラベルには携帯サイト１４への接続情報が電子透かし化されて印刷されているので、携帯電話は、携帯サイト１４への接続情報を抽出する（ステップ１０）。
そして、携帯電話は、抽出した接続情報を用いて携帯サイト１４にアクセスする（ステップ１５）。
【００９２】
ラベル管理サーバ２は、携帯電話から携帯サイト１４にアクセスを受けると、携帯電話にリンク先選択画面データを送信する（ステップ２０）。
携帯電話は、ラベル管理サーバ２からリンク先選択画面データを受信し、これを用いて表示部５２（図８）にリンク先選択画面を表示する（ステップ２５）。
【００９３】
消費者がリンク先選択画面データで所望の事業者サイトを選択すると、携帯電話は、当該事業者サイトへの接続情報を用いて（リンク先選択画面データに含まれているのでそれを使用する）当該事業者サイトに接続する（ステップ３０）。
【００９４】
選択された事業者の事業者サイトを運営するサーバ１１は、携帯電話からの接続を受け付け、事業者サイトの画面データを携帯電話に送信する（ステップ３５）。
携帯電話は、サーバ１１から画面データを受信し、これを用いて事業者サイトの提供する画面を表示する（ステップ４０）。
【００９５】
図１１は、ラベル管理サーバ２のハードウェア的な構成の一例を示したブロック図である。
ラベル管理サーバ２は、ＣＰＵ１１５、ＲＯＭ１１６、ＲＡＭ１１７、入力部１１８、表示部１１９、通信制御部１２１、入出力Ｉ／Ｆ（インターフェース）１２２、記憶媒体駆動部１２３、記憶部１２４などの各機能部がバスライン１２５で接続されて構成されている。
【００９６】
ＣＰＵ１１５は、所定のプログラムに従って、各種の演算処理、及び情報処理やラベル管理サーバ２を構成する各構成要素の制御を行ったりする中央処理装置である。
本実施の形態では、例えば、ラベル発行装置５と通信してラベルＩＤの送受信を行ったり、携帯サイト１４への接続情報を送信したりする。
【００９７】
ＲＯＭ１１６は、ラベル管理サーバ２を動作させるための基本的なプログラムやデータなどを記憶した読み出し専用のメモリである。
ＲＡＭ１１７は、ＣＰＵ１１５が動作するためのワーキングエリアを提供する読み書き可能なメモリである。
【００９８】
入力部１１８は、ラベル管理サーバ２に情報を入力するための機能部であり、例えば、キーボード、マウスなどを備えている。
キーボードは、数字や文字を入力する文字キー、及びテンキーや、予め設定された機能を指定するための機能キーなどを備えており、例えば、管理者がラベル管理サーバ２をメンテナンスしたりするのに用いる。
【００９９】
また、ラベル管理サーバ２の事業体が、各工程の事業者から、検索サイト１３や携帯サイト１４への接続情報の追加、変更、削除を依頼された場合は、管理者は入力部１１８から情報入力を行い、検索サイト１３や携帯サイト１４の掲載内容を編集し、最新の内容に更新する。
このように、ラベル管理サーバ２は、各工程の事業者から、前記所定サイトに掲載する掲載情報の登録を受け付ける掲載情報受付手段と（オペレータが入力部１１８から入力するなどする）、前記受け付けた掲載情報を前記所定サイトに掲載する掲載手段を備えている。
【０１００】
表示部１１９は、文字情報や画像情報を表示する表示装置を備えており、例えば、管理者がラベル管理サーバ２をメンテナンスするのに用いる。
表示装置は、例えば、ＣＲＴ（Ｃａｔｈｏｄｅ−Ｒａｙ  Ｔｕｂｅ）ディスプレイ、液晶ディスプレイ、プラズマディスプレイなどで構成されている。
【０１０１】
通信制御部１２１は、ラベル管理サーバ２をインターネット３に接続する機能部である。ラベル管理サーバ２は、通信制御部１２１を介して、ラベル発行装置５、端末４、携帯電話などと通信を行うことができる。
入出力Ｉ／Ｆ１２２は、ラベル管理サーバ２に外部機器を接続してラベル管理サーバ２の機能を拡張するためのインターフェースである。接続可能な外部機器としては、例えば、ハードディスクや半導体記憶装置などの記憶装置がある。
【０１０２】
記憶媒体駆動部１２３は、装着された着脱可能な記憶媒体を駆動し、データの読み書きを行う機能部である。
読み書き可能な記憶媒体としては、例えば、フレキシブルディスク、光磁気ディスク、半導体記憶装置、磁気テープ、紙テープがある。
また、読み取り専用の記憶媒体としては、例えば、ＣＤ−ＲＯＭなどの光ディスク類がある。
ラベル管理サーバ２は、記憶媒体駆動部１２３に装着した記憶媒体からプログラムのインストールなどを行うことができるほか、記憶媒体に対してラベルＩＤの連係情報１５やその他の重要な情報をバックアップすることもできる。
【０１０３】
記憶部１２４は、例えば、ハードディスクなどで構成された大容量で読み書き可能な記憶装置である。
記憶部１２４には、プログラム類を格納したプログラム部１２６とデータ類を記憶したデータ部１２７が形成されている。
【０１０４】
図１１（ｂ）に示したように、プログラム部１２６には、ＯＳ（Ｏｐｅｒａｔｉｎｇ  Ｓｙｓｔｅｍ）１３１、通信プログラム１３２、ラベルＩＤ発行プログラム１３３、検索サイトプログラム１３４、携帯サイトプログラム１３５、…などの各種プログラムがＣＰＵ１１５で実行可能に記憶されている。
【０１０５】
ＯＳ１３１は、ファイル入出力の管理や各種機能部を制御するなど、ラベル管理サーバ２を運営する基本的な機能をＣＰＵ１１５に発揮させるためのプログラムである。
通信プログラム１３２は、通信制御部１２１を制御し、インターネット３を介した通信を行うための機能をＣＰＵ１１５に発揮させるためのプログラムである。
【０１０６】
ラベルＩＤ発行プログラム１３３は、ラベル発行装置５にラベルの発行を行わせるためのプログラムであり、ラベル発行装置５からラベルＩＤを受信し、これに関連づけてラベルＩＤを発行してラベル発行装置５に送信する。
【０１０７】
検索サイトプログラム１３４は、検索サイト１３を運営するためのプログラムである。
ＣＰＵ１１５は、検索サイトプログラム１３４を実行することにより、インターネット３を介して端末４からラベルＩＤや詳細情報の照会を受け付けるほか、詳細情報の照会の要求があった場合、該当する詳細情報をラベル発行装置５から検索して提供する機能を発揮する。
【０１０８】
携帯サイトプログラム１３５は、携帯サイト１４を運用するためのプログラムである。
また、データ部１２７には、ラベルＩＤ管理データベース５５が形成されている。
【０１０９】
以上、ラベル管理サーバ２のハードウェア的な構成について説明したが、ラベル発行装置５やラベル管理サーバ２のハードウェア的な構成も基本的には同様である。
ラベル発行装置５の場合は、図１１に示した構成のほかにラベルを印刷する印刷部を備えており、ラベル管理サーバ２から送信されてきたラベルＩＤや電子透かしを印刷媒体（ラベル）に印刷する。
【０１１０】
印刷部は、例えば、レーザプリンタ、インクジェットプリンタ、ダイレクトサーマルプリンタなどの各種印刷装置により構成することができる。
また、印刷装置として偽造が困難な特殊な印刷を行うプリンタを用いることもできる。このようなものとしては例えばラベルにホログラフを印刷するものがある。
【０１１１】
以上に説明した本実施の形態により以下のような効果を得ることができる。
（１）ラベル面に印刷スペースが無い場合でも事業者が消費者などに提供したい情報を電子透かしによってその場で印刷出力することができる。
そして、消費者は電子透かしを用いて、事業者が提供する情報を掲載した事業者サイトにアクセスし、希望の情報を閲覧することができる。
このため、ラベルの表示面積に依存しない情報提供がリアルタイムに行うことができる。
【０１１２】
（２）カメラ機能と、撮影された画像から電子透かしで構成された接続情報を用いて指定先のウェブサイトに自動接続する携帯電話を用いると、消費者はラベルを携帯電話で撮影しただけで事業者サイトに自動接続することができる。
（３）事業者に、何れの情報を可視情報としてラベルに印刷し、何れの情報を不可視情報を媒介として提供するかの選択肢を提供することができる。
【０１１３】
（４）消費者に提供されるラベルは印刷物であるが、ラベルに印刷した接続情報を用いて所定のウェブサイトにアクセスすることにより、表現方法を印刷に限定せずに情報提供を行うことができる。
（５）通常の印刷では印刷後に追加情報を加えることは困難であり、情報が固定的でリアルタイム性に欠けるが、ウェブサイトへの接続情報を印刷することにより最新の情報を消費者に提供することができる。
このため、例えば、食料品に貼付するラベルに用いて、食品（生鮮）情報を提供したり、小売業界の販売促進情報を提供したり、あるいは医薬品に貼付するラベルに用いて健康及び医療情報に関わる特定情報を即時提供することができる。
【０１１４】
なお、本実施の形態では、検索サイト１３や携帯サイト１４に掲載する事業者の情報を接続情報としたが、これは一例であり、事業者が提供する各種のデータ（文字データ、画像データ、音声データなど）を掲載することができる。
更に、携帯サイト１４に掲載する情報は、事業者の情報に限らず、第三者の情報を掲載することも可能である。
この場合、ラベル管理サーバ２の運営者が第三者から情報の掲載料を徴収することにより収益を得ることも可能である。
【０１１５】
加えて、本実施の形態では、記録媒体として印刷媒体で構成されたラベルを用い、記録手段として可視情報と不可視情報をラベル表面に印刷する印刷装置を用いたが、これは、記録媒体及び記録手段をラベルと印刷装置に限定するものではない。
【０１１６】
例えば、記録媒体としてＩＣタグを用い、記録手段として、ＩＣタグに情報を読み書きするリーダライタを用いることも可能である。
この場合、ＩＣタグに対応した携帯電話を用いてＩＣタグに記憶された接続情報を読み取り、携帯サイト１４に自動的に接続するように構成することが可能である。
更に、記録媒体として磁気ストライプなどの磁気記録媒体を用いることも可能である。
【０１１７】
また、本実施の形態では、最終工程でのラベルに接続情報を印刷したが、途中の工程のラベル発行装置５で印刷するように構成することもできる。この場合、この工程の次工程の事業者がこの接続情報を用いて所定のウェブサイトにアクセスすることができる。
【０１１８】
更に、本実施の形態では、ラベルＩＤの発行機能と、携帯サイト１４をラベル管理サーバ２で行ったが、これらを別のサーバ装置で行ってもよい。この場合、これらサーバの組み合わせで商品履歴管理装置が構成される。
【図面の簡単な説明】
【０１１９】
【図１】ラベル管理システムのネットワーク構成を示した図である。
【図２】ラベルＩＤを連携させる仕組みについて説明するための図である。
【図３】詳細情報データベースの論理的な構成を示した図である。
【図４】ラベルの一例を示した図である。
【図５】検索画面の一例を示した図である。
【図６】検索結果画面の一例を示した図である。
【図７】詳細情報画面の一例を示した図である。
【図８】本実施の形態で使用する携帯電話の外観を示した図である。
【図９】携帯電話で事業者サイトに接続したところを示した図である。
【図１０】携帯電話から事業サイトに接続する手順を説明するためのフローチャートである。
【図１１】ラベル管理サーバのハードウェア的な構成を示した図である。
【符号の説明】
【０１２０】
１  ラベル管理システム
２  ラベル管理サーバ
４  端末
５  ラベル発行装置
１１  サーバ
１３  検索サイト
１４  携帯サイト
【図１】
2006059317.tif 000003
【図２】
2006059317.tif 000004
【図３】
2006059317.tif 000005
【図４】
2006059317.tif 000006
【図５】
2006059317.tif 000007
【図６】
2006059317.tif 000008
【図７】
2006059317.tif 000009
【図８】
2006059317.tif 000010
【図９】
2006059317.tif 000011
【図１０】
2006059317.tif 000012
【図１１】
2006059317.tif 000013